(57)【特許請求の範囲】
【請求項１】
通信ネットワークにおいて移動電話端末の動作を管理する方法であって、移動電話端末が通話モードまたはナビゲータモードで選択的に動作するように構成されており、かつ移動電話端末の一部を形成するかまたは移動電話端末に接続されている表示手段が、サービスデータに適合した言語の命令シーケンスによって書式化されており少なくとも１つのサービスへのアクセスを与えるサービスデータページを表示するのに適しており、サービスへのアクセスを与えるサービスデータページのための前記命令シーケンスに好ましいモードの選択命令を組み込むことによって、サービスを実施するために通話モードまたはナビゲータモードのいずれかを選択するステップを有することを特徴とする、移動体電話の動作を管理する方法。
【請求項２】
ナビゲータモードが、無線アプリケーションプロトコル（ＷＡＰ）を使用することを特徴とする、請求項１に記載の方法。
【請求項３】
サービスデータに適合した言語が、拡張可能マークアップ言語（ＸＭＬ）のファミリから取られ、特に無線用マークアップ言語（ＷＭＬ）であることを特徴とする、請求項１または２に記載の方法。
【請求項４】
サービスデータに適合した言語が、ハイパーテキストマークアップ言語（ＨＴＭＬ）またはハイパーテキストマークアップ言語に由来する言語から取られることを特徴とする、請求項１または２に記載の方法。
【発明の詳細な説明】
【０００１】
【発明の属する技術分野】
本発明は、通信ネットワークにおいて移動端末の動作を管理する方法に関する。
【０００２】
【従来の技術】
現況の技術では、通信ネットワークにおいて移動電話の動作を管理する方法は、すでに知られている。この方法では、移動端末は、通話モードまたはナビゲータモードで選択的に動作するように構成されており、また、移動端末の一部を形成するかまたは移動端末に接続されている表示手段は、サービスデータに適合した言語の命令シーケンスによって書式化されており少なくとも１つのサービスへのアクセスを与えるサービスデータページを表示するのに適している。
【０００３】
従来の方式では、移動電話ネットワークにおいて、無線アプリケーションプロトコル（ＷＡＰ）により、移動端末は、インターネットタイプのネットワークとデータを交換することができる（ＩＰ技術）か、またはイントラネットネットワークとデータを交換することができる。サービスデータに適合し、移動端末に適合した言語は、通常、無線用マークアップ言語（ＷＭＬ）である。この言語は、移動端末の限定された表示手段（サイズが小さいスクリーンで一般に白黒）、およびユーザと移動端末の表示手段との対話に利用可能な制限された手段（簡単化したキーボードまたはサムホイール）に適合している。
【０００４】
一般に、移動電話ネットワークを運営している事業者は、インターネットに適合したプロトコル、特にハイパーテキスト転送プロトコル（ＨＴＴＰ）として知られている伝送プロトコルおよびトランスポート層セキュリティ（ＴＬＳ）として知られているセキュリティプロトコルと、ＷＡＰ規格に適合した対応するプロトコル、特に無線セッションプロトコル（ＷＳＰ）および無線変換プロトコル（ＷＴＰ）として知られている送信プロトコル並びに無線トランスポート層セキュリティ（ＷＴＬＳ）として知られているセキュリティプロトコルとの間の変換を提供するコンピュータすなわち「ＷＡＰ」ゲートウエイを管理する。したがって、ＷＡＰゲートウエイは、事業者が運営する移動電話ネットワークとインターネットの間でデータを変換することに役立つ。したがって、ＷＡＰゲートウエイを管理する事業者は、加入者に、それを介して様々な異なるサービスを提案する「ＷＡＰポータル」を提供することができる。
【０００５】
一般に、加入者が（ナビゲータモードで動作する移動端末で）ＷＡＰポータルに接続するとき、移動端末のスクリーン上に表示されている機能によって、事業者が提案する様々なサービスにアクセスする。一般に、キーパッド上のキー、矢印ボタン、矢印ナビゲータ、サムホイールなどによってサービスを選択する。一般に、キーパッド上の「エンタ」ボタンを押すことによって、選択したサービスにアクセスする。それにも関わらず、電話モードで移動端末が動作するようにするために、ユーザは、ナビゲータモードを出なければならず、したがって、ＷＡＰモードを去らなければならない。
【０００６】
ナビゲータモードにおける移動端末の従来の動作に関する例を、以下で説明する。
【０００７】
ボイスメールを所持する加入者は、ナビゲータモードを使用して、事業者のＷＡＰポータルを介してアクセスすることができるメール管理サービスを調べる。
例として、以下の形式で、サービスデータページを表示することができる。
【表１】
0004602600.tif 000002
【０００８】
加入者は、選択肢「２．緊急．上司」を選択して、対応するメッセージを聴き、従来、この選択は、通話モードに移動端末を設定する効果を有する。その後、加入者は、通話モードを去ってナビゲータモードに戻ることなしに、上記のサービスデータページによって提案されている他の選択肢にアクセスすることはできない。いくつかの場合では、通話モードでのコールは、ナビゲーションの終了をマーク付けすることであることが観測される。
【０００９】
【発明が解決しようとする課題】
本発明の目的は、通信ネットワークの移動端末に動作モードを付与することである。このモードは、移動端末の「通話」と「ナビゲータ」動作モードとの間の不自然な遷移を回避する一方で、常に現行のサービスに適合している。
【００１０】
【課題を解決するための手段】
この目的のために、本発明は、上記で指定したタイプの通信ネットワークにおいて移動電話の動作を管理する方法を提供する。「好ましい」移動端末動作モードが、好ましいモードの選択命令をサービスへのアクセスを与えるサービスデータページのための命令シーケンスに組み込むことによってサービスを実施するために選択される。
【００１１】
この方法の他の特徴によれば、
ナビゲータモードは、無線アプリケーションプロトコル（ＷＡＰ）を使用し、さらに
サービスデータに適合した言語は、拡張可能マークアップ言語（ＸＭＬ）のファミリから取られ特に無線用マークアップ言語（ＷＭＬ）であるか、または、
サービスデータに適合した言語が、ハイパーテキストマークアップ言語（ＨＴＭＬ）またはそれに由来する言語である。
【００１２】
【発明の実施の形態】
本発明は、純粋に例として与えられている以下の記述を読むことで、よりよく理解されるであろう。
【００１３】
通信ネットワークの移動端末は、通話モードまたはナビゲータモードで選択的に動作することができる。移動端末は、マンマシンインタフェースを形成する従来の手段を有する。これらのインタフェース手段は、移動端末上に取り付けられているか、または移動端末に接続されている別々のユニットに統合されている。通話モードは、端末と通信ネットワークの間で音声を送信することができるようにする方式で動作する移動端末に対応し、したがって、電話の使用（コール時間、相手の番号を記録し、「ハングアップ」、「ダイアル」などの機能へのアクセスを与える）に適した方式で動作するマンマシンインタフェースに対応する。ナビゲータモードは、データをインターネットタイプのネットワークと交換するか、または適切である場合にイントラネットネットワークと交換することができるようにする方式で動作する移動端末に対応し、したがって、ナビゲーションの使用（オンラインサービスに関連するデータとナビゲーション機能を表示する）に適した方式で動作するマンマシンインタフェースに対応する。
【００１４】
従来の方式では、移動端末は、マンマシンインタフェースの表示手段を形成し、サービスデータに適合した言語の命令シーケンスによって、従来の方式で書式化されているサービスデータページを表示することができるスクリーンを有する。サービスデータページは、少なくとも１つのサービスへのアクセスを与える。
【００１５】
表示手段が移動端末の一部であったり、または表示手段を前記端末に接続することができることが観測される。
【００１６】
ナビゲータモードが無線アプリケーションプロトコル（ＷＡＰ）を使用し、サービスデータに適合した言語が、拡張可能マークアップ言語（ＸＭＬ）のファミリであり、特に無線用マークアップ言語（ＷＭＬ）であることが好ましい。変形形態として、サービスデータに適合した言語は、ハイパーテキストマークアップ言語（ＨＴＭＬ）またはそれに由来する言語とすることができる。
【００１７】
この方法では、「好ましい」移動端末動作モードは、サービスへのアクセスを与えるサービスデータページのための命令シーケンスに好ましいモードを選択するための命令を組み込むことによってサービスを実施するために選択される。
【００１８】
したがって、ＷＭＬでは、ナビゲータモード選択命令を＜タイプ１＞として定義することができ、通話モードを選択するための命令を＜タイプ２＞として定義することができる。
【００１９】
したがって、ナビゲータモードを選択するための命令を含むサービスデータページのための命令シーケンスは、以下の形態で提示される。
【００２０】
0004602600.tif 000003
また、通話モードを選択するための命令を含む、サービスデータページのための命令シーケンスは、以下の形態で提示される。
【００２１】
0004602600.tif 000004
例１：ナビゲータモードが好まれる
加入者は、ボイスメールを所有し、ナビゲータモードを使用して、事業者のＷＡＰポータルを介してアクセスすることができるボイスメール管理サービスを調べる。次いで、ナビゲータモードを選択するための命令を含むサービスデータページが、例えば以下のような書式で表示される。
【表２】
0004602600.tif 000005
【００２２】
加入者は、選択肢「２．緊急．上司」を選択して、対応するメッセージを照会する。しかし、ナビゲータモードを選択するための命令のために、ナビゲータモードは維持され、したがって、メッセージを再生しながら、サービスデータページを以下のように表示することを可能にする。
【表３】
0004602600.tif 000006
【００２３】
加入者は、選択肢「１．メッセージを削除する」を選択し、次いで選択肢「４．ボイスメール主要メニュー」を選択する。次いで、スクリーンは、以下のナビゲータページを表示する。
【表４】
0004602600.tif 000007
【００２４】
次いで加入者は、選択肢「３．緊急．＋  ３３  ６  ００  ００  ００  ００」を選択して、対応するメッセージを照会することができる。
【００２５】
例２：通話モードが好まれる
加入者は、電話をすることを望んでいるが、電話番号を知らない。番号を見つけるために、加入者は、ナビゲータモードを使用して、事業者のＷＡＰポータルを介して利用することができるディレクトリサービスを調べる。次いで、通話モードを選択するための命令を含むサービスデータページが、例えば以下のような書式で表示される。
【表５】
0004602600.tif 000008
【００２６】
加入者は、データを入力して、「エンタ」を押す。次いで、スクリーンには次のように表示される。
【表６】
0004602600.tif 000009
【００２７】
加入者は、「ネーム」にコールするために、選択肢「１．＋０  ０１  ００  ００  ００にコールする」を選択し、移動端末は、好ましい通話モードで動作している。移動端末のスクリーンは、通話タイプの通常の機能への容易なアクセスを与えるように、この動作モードに対応する通常の情報を表示する。